(57)【要約】【課題】  簡易な構成のコネクタ部において接続されるケーブルを識別して音源部と出力部とを最適な組み合わせで切り替える。【解決手段】  ケーブル１３のピンジャック１３ａを接続することによって、コネクタ部１０に設けた各端子２１〜２４の接続状態の変化を検出部１１によって検出し、音源供給源として内部音源５とチューナ部６とを選択し、出力源として内部スピーカ４とヘッドホンスピーカ１４とを切り替える。【選択図】  図２
2006135784.tif 000002
【特許請求の範囲】
【請求項１】
少なくとも、チューナ部と、内部音源部と、内部スピーカと、上記チューナ部或いは上記内部音源部から出力される音響信号を処理する音響信号処理部と、ヘッドホンケーブルが接続されるコネクタ部とを備え、上記内部音源部からの再生音響情報と上記チューナ部で選択された受信音響情報とを上記内部スピーカ又は上記ヘッドホンケーブルに設けた外部スピーカから出力する携帯型無線情報再生装置において、
少なくとも音響入出力端子とグランド端子とアンテナ端子とが設けられ、これら各端子と選択的に接続される所定の端子を有する上記ヘッドホンケーブルのピンジャックや、アンテナ機能を有するヘッドホンアンテナケーブルのピンジャック、或いは外部音響機器と接続する変換ケーブルのピンジャックとが着脱される上記コネクタ部と、
上記コネクタ部の上記各端子が、上記各ケーブルを接続することによって上記ピンジャックに設けた上記各端子と接続することによって、相互の接続状態の変化を検出して検出信号を出力する検出部と、
上記検出部から出力される検出信号により、音源として上記チューナ部と上記内部音源部とを選択する音源部の切替動作と、出力部として上記内部スピーカと上記ヘッドホンケーブルや上記ヘッドホンアンテナケーブルのスピーカとを選択する出力部の切替動作とを行う切替部と
を備えることを特徴とする携帯型無線情報再生装置。
【請求項２】
上記音響入出力端子が、オーディオＬチャンネル端子と、オーディオＲチャンネル端子とから構成されることを特徴とする請求項１に記載の携帯型無線情報再生装置。
【請求項３】
表示器と記録媒体再生部と画像信号処理部とを備えるとともに、上記ピンジャックコネクタに着脱される上記ヘッドホンアンテナケーブルが携帯端末向け地上波デジタルテレビジョン放送の番組を受信するアンテナ機能を有することを特徴とする請求項２に記載の携帯型無線情報再生装置。
【請求項４】
上記ピンジャックコネクタが、それぞれ端子の配列を異にした上記各ケーブルの上記ピンジャックを接続することによって、上記グランド端子に対する上記音響入出力端子とアンテナ端子の接続状態を異にし、これらの接続状態が上記検出部によって検出されることを特徴とする請求項１に記載の携帯型無線情報再生装置。
【発明の詳細な説明】
【技術分野】
【０００１】
本発明は、チューナ部と内部音源部と内部スピーカ及びチューナ部又は内部音源部から出力される音響信号等を処理する音響信号処理部とを備える携帯型無線情報再生装置に関する。
【背景技術】
【０００２】
例えば、携帯型液晶テレビジョン受像機やラジオ受信機、携帯型記録再生装置或いは携帯型情報端末装置（PDA:Personal Digital Assistanct）等の携帯型無線情報再生装置においては、一般にアンテナによって受信した外部音響情報を処理する機能と内部音源に記憶した内部音響情報とを利用することが可能に構成されている。携帯型無線情報再生装置は、このためにチューナと、内部音源と、内部スピーカと、チューナ或いは内部音源から出力される音響信号を処理する音響信号処理部とを備え、またヘッドホン（イヤホン）を接続して外部スピーカによって再生音響情報を聞くことも可能である。なお、内部音源としては、音響情報を記憶した内部メモリや、装填される情報記録媒体から音響情報を再生する再生手段等を含むものとする。
【０００３】
一方、携帯電話機は、めざましい多機能化が図られており、単なる通話手段としての位置付けからむしろ上述した各種の携帯型無線情報再生装置と同様の情報端末機器としての位置付けが高まっている。また、携帯電話機を含む各種の携帯型無線情報再生装置においては、携帯端末向け地上波デジタルテレビジョン放送（ISDB-T:Integrated Services Digital Broadcasting-Terrestrial。以下、単にデジタルテレビ放送と称する。）の開始に伴い、放送番組の受信機能も必須のアイテムとなっている。
【０００４】
携帯型無線情報再生装置においては、基本機能用のアンテナとともに広帯域の放送電波を良好な状態で受信することが可能な高精度のアンテナが必要となる。携帯型無線情報再生装置においては、小型薄型化を保持して必要な場合に放送電波の受信を行うようにするために、例えば特許文献１に開示されるようなアンテナ機能を付加したイヤホンケーブル（ヘッドホンケーブル）、すなわちイヤホンアンテナ（ヘッドホンアンテナ）を着脱して用いるようにすることによって効果的な対応が図られるようになる。
【０００５】
【特許文献１】特開２００３−１６３５２９号公報
【発明の開示】
【発明が解決しようとする課題】
【０００６】
ところで、携帯型無線情報再生装置においては、上述したヘッドホンアンテナを接続して用いる場合に、再生音響情報の出力部を内部スピーカからヘッドホンに切り替える処理を行う必要が生じる。また、携帯型無線情報再生装置においては、内部音源を再生する場合でもヘッドホンアンテナを接続して高精度のヘッドホンによって再生音響情報を聞くようにするために内部スピーカからヘッドホンへの切り替え処理が行われる。
【０００７】
したがって、携帯型無線情報再生装置においては、ヘッドホンアンテナの接続機能を備える場合に、例えばヘッドホンケーブルを着脱するコネクタ部に検出機構を設け、この検出機構からの検出信号によって上述した切替操作が自動的に行われるように構成されることが好ましい。しかしながら、携帯型無線情報再生装置においては、コネクタ部に検出接点構造が必要となるとともにこの検出接点と切替部との配線も必要となり、構造が複雑となって小型化が困難となるとともにコストもアップしてしまうといった問題が生じる。
【０００８】
一方、携帯型無線情報再生装置においては、上述した仕様を採用した場合でも、アンテナ機能を有していない従来の一般的なヘッドホンを接続して内部音源からの音響情報を聞く使用態様についても互換性を図る必要がある。携帯型無線情報再生装置においては、コネクタ部にアンテナ機能を有していないヘッドホンケーブルの接続を検出する機能も必要となり、上述した問題がますます顕著となる。
【０００９】
したがって、本発明は、簡易な構成のピンジャックコネクタにおいて接続されるケーブルを識別して音源部と出力部とを最適な組み合わせで切り替え得るようにする携帯型無線情報再生装置を提供することを目的とする。
【課題を解決するための手段】
【００１０】
上述した目的を達成する本発明にかかる携帯型無線情報再生装置は、少なくとも、チューナ部と、内部音源部と、内部スピーカと、チューナ部或いは内部音源部から出力される音響信号を処理する音響信号処理部と、ヘッドホンケーブルが接続されるピンジャックコネクタとを備え、内部音源部からの再生音響情報とチューナ部で選択された受信音響情報とを内部スピーカ又はヘッドホンケーブルに設けた外部スピーカから出力する。無線情報再生装置は、ピンジャックコネクタが、少なくとも音響入出力端子とグランド端子とアンテナ端子とを有し、これら各端子と選択的に接続される所定の端子を有するヘッドホンケーブルのピンジャックや、アンテナ機能を有するヘッドホンアンテナケーブルのピンジャック、或いは外部音響機器と接続する変換ケーブルのピンジャックとが着脱される。無線情報再生装置は、検出部が、コネクタ部の各端子が、各ケーブルを接続することによってピンジャックに設けた各端子と接続することによって、相互の接続状態の変化を検出して検出信号を出力する。無線情報再生装置は、切替部が、検出部から出力される検出信号により、音源としてチューナ部と内部音源部とを選択する音源部の切替動作と、出力部として内部スピーカとヘッドホンケーブルやヘッドホンアンテナケーブルのスピーカとを選択する出力部の切替動作とを行う。
【００１１】
本発明にかかる携帯型無線情報再生装置においては、音源として、内部メモリや装填された光ディスク等の適宜の情報記録媒体から再生手段によって再生された音響情報等の内部音源と、チューナから出力される受信したデジタル放送等の外部音源との利用が可能である。携帯型無線情報再生装置においては、ヘッドホンケーブルを着脱操作することにより、内部音源又は外部音源から出力された適宜の音響情報を内部スピーカ又はヘッドホンケーブルに設けられた外部スピーカによって聞くことが可能である。携帯型無線情報再生装置においては、ピンジャックコネクタに設けた検出部により、アンテナ機能を有するヘッドホンアンテナケーブルや例えば通常のヘッドホンケーブル或いは外部機器と接続された変換ケーブルのいずれかが接続されているかが検出される。
【００１２】
携帯型無線情報再生装置においては、例えばアンテナ機能を有するヘッドホンアンテナケーブルが接続された場合に、切替操作を不要として外部音源と外部スピーカとが選択されてデジタル放送を受信してイヤホンから音声が再生出力されるようにする。携帯型無線情報再生装置においては、例えば通常のヘッドホンケーブルが接続された場合に、内部音源と外部スピーカとが選択されて情報記録媒体等からの再生音楽等がイヤホンから再生出力されるようにする。携帯型無線情報再生装置においては、一般的な変換ケーブルが接続された場合に、内部スピーカが選択されて外部から有線で供給される音楽等がイヤホンから再生出力されるようにする。携帯型無線情報再生装置においては、ヘッドホンケーブルや変換ケーブルが接続されていない状態で、内部音源と内部スピーカとが選択されて情報記録媒体等から再生された音楽等が内部スピーカから再生出力されるようにする。
【００１３】
携帯型無線情報再生装置においては、音響入出力端子が、オーディオＬチャンネル端子とオーディオＲチャンネル端子とから構成され、音楽等がステレオ再生されるようにする。携帯型無線情報再生装置においては、表示器と記録媒体再生部と画像信号処理部とを備えるとともに、ピンジャックコネクタに着脱されるヘッドホンアンテナが携帯端末向け地上波デジタルテレビジョン放送を受信するアンテナ機能を有する。携帯型無線情報再生装置においては、ヘッドホンアンテナを接続することによって、表示器によって放送番組の映像が表示されるとともにイヤホンから音声が出力されるようにする。
【００１４】
携帯型無線情報再生装置においては、ピンジャックコネクタが、それぞれ端子の配列を異にした各ケーブルのピンジャックを接続することによって、グランド端子に対する音響入出力端子とアンテナ端子の接続状態を異にし、これらの接続状態が検出部によって検出される。携帯型無線情報再生装置においては、オーディオＬチャンネル端子とオーディオＲチャンネル端子とがグランドに接続されることに高周波的にグランドといった一体化されたヘッドホンアンテナケーブルとヘッドホンケーブル或いはアンテナケーブルとの検出が行われるようにする。
【発明の効果】
【００１５】
以上のように構成された本発明にかかる携帯型無線情報再生装置によれば、ピンジャックコネクタと接続側のピンジャックとの端子間の接続状態を検出する検出部と、この検出部からの検出信号によって内部音源と外部音源及び内部スピーカと外部スピーカとを切り替える切替部とを有することにより、面倒な切替操作を要せずに最適な組み合わせが自動的に行われるようになり使い勝手の向上が図られるようになる。携帯型無線情報再生装置によれば、ピンジャックコネクタに接続される接続体を検出する検出接点機構を不要とすることで構造の簡易化や小型化が図られるようになるとともに、コスト低減を図って多機能化が図られるようになる。
【発明を実施するための最良の形態】
【００１６】
以下、本発明の実施の形態について、図面を参照して詳細に説明する。実施の形態として図面に示した携帯型無線情報再生装置（以下、携帯端末機と称する。）１は、詳細を後述するように筐体２の内部に液晶表示器３や内部スピーカ４を備え、内部情報源５から再生された再生情報や無線受信機能により受信した受信情報をこれら液晶表示器３や内部スピーカ４によって視聴することが可能な例えばノート型パーソナルコンピュータや携帯電話機或いは携帯型液晶テレビジョン受像機である。携帯端末機１は、無線受信機能によってデジタルテレビ放送も受信して視聴することが可能である。
【００１７】
携帯端末機１は、内部情報源５を、例えば各種の情報等を記録可能な内部メモリ或いは筐体２に設けた装填部に挿脱操作される可搬型のメモリ媒体によって構成する。また、携帯端末機１は、内部情報源５として、装填部に挿脱操作されて内蔵した情報記録再生機構により記録情報が再生される例えばＣＤ（Compact Disc）やＤＶＤ（Degital Versatile Disc）等の適宜の情報記録媒体も内部情報源５を構成する。すなわち、携帯端末機１は、後述する各種ケーブルを介して供給される外部情報を除いて、液晶表示器３や内部スピーカ４に出力される情報等の供給源を内部情報源５とする。
【００１８】
携帯端末機１は、筐体２の内部に上述した液晶表示器３や内部スピーカ４及び内部情報源５とともに、チューナ部６と、中間波信号処理部７と、画像信号処理部８と、音響信号処理部９とを備えている。携帯端末機１は、筐体２に後述する各種のケーブルが着脱操作されるコネクタ部１０が備えられるとともに、このコネクタ部１０に接続されるケーブルの種類を検出する検出部１１と、この検出部１１から出力される検出信号によって各部の切替動作を行わせる切替部１２とが備えられる。なお、携帯端末機１は、上述した各部ばかりでなく、様々な回路部や機構部等を備えているが、本発明の要旨たる情報の入出力部のみを説明するものとする。
【００１９】
携帯端末機１は、音響情報を上述した内部スピーカ４から出力する形態ばかりでなく、図１に示すようにヘッドホンケーブル１３を接続して左右一対のヘッドホンスピーカ１４Ｌ、１４Ｒから出力する形態でも使用される。携帯端末機１は、後述するようにヘッドホンケーブル１３として、デジタルテレビ放送のアンテナ機能を有するヘッドホンアンテナケーブル１５や携帯型音響機器等に用いられる一般的なヘッドホン用ケーブル１６がコネクタ部１０に着脱操作されて用いられる。また、携帯端末機１は、コネクタ部１０に適宜の外部機器１７と接続されて情報信号等の授受を行う変換ケーブル１８が着脱操作され、外部機器１７から供給された音響情報をヘッドホンスピーカ１４を用いずに内部スピーカ４から出力する形態でも使用される。
【００２０】
携帯端末機１は、内部情報源５から出力した再生信号に対して、画像信号処理部８において所定の画像信号処理を施して液晶表示器３で映像を表示する。携帯端末機１は、内部情報源５から出力した再生信号に対して、音響信号処理部９において所定の音響信号処理を施して内部スピーカ４或いは接続されたヘッドホンスピーカ１４から音響を放音する。携帯端末機１は、詳細を後述するように、検出部１１から出力される検出信号に基づいて切替部１２が動作し、出力源として内部スピーカ４又はヘッドホンスピーカ１４を選択してその切替操作を行う。
【００２１】
携帯端末機１は、チューナ部６において、アンテナで受信した放送電波から所定放送局に対応する周波数帯域の放送電波を選択して増幅処理を行い、中間波信号処理部７に供給する。携帯端末機１は、中間波信号処理部７において、当該放送電波の復調処理を行って画像信号を画像信号処理部８に供給するとともに音響信号を音響信号処理部９に供給する。携帯端末機１は、画像信号に基づいて液晶表示器３で放送番組の映像を表示する。携帯端末機１は、音響信号処理部９において所定の音響信号処理を施した音響信号に基づいて、内部スピーカ４或いはヘッドホンスピーカ１４から放送番組の音声等を放音する。携帯端末機１は、詳細を後述するように、検出部１１から出力される検出信号に基づいて切替部１２が動作し、出力源として内部スピーカ４又はヘッドホンスピーカ１４を選択してその切替操作を行う。
【００２２】
携帯端末機１は、コネクタ部１０が筐体２に開口される開口部１９の内部に端子構造２０が設けられたピンジャックコネクタによって構成され、先端部にそれぞれピンジャック１５ａが設けられたヘッドホンアンテナケーブル１５と、ピンジャック１６ａが設けられたヘッドホン用ケーブル１６或いは、ピンジャック１８ａが設けられた変換ケーブル１８が着脱操作される。コネクタ部１０は、端子構造２０が、図２に示すように開口部１９の内部側から互いに絶縁状態を保持して配列されたオーディオＬチャンネル端子２１と、オーディオＲチャンネル端子２２と、グランド端子２３と、アンテナ端子２４との４端子構造によって構成される。
【００２３】
コネクタ部１０は、開口部１９に各ケーブルのピンジャックが嵌合されると、これらピンジャックに設けられた後述する各端子が端子構造２０の相対する各端子と選択的に接続される。コネクタ部１０は、図示しないロック機構によって嵌合されたピンジャックを保持し、ピンジャックを強く引き抜くことによって開口部１９から抜き出されるようにする。コネクタ部１０は、後述するように各端子２１〜２４と開口部１９から嵌合されたケーブルの各端子との接続状態が検出部１１によって検出されることにより、何れのケーブルが接続されているかが識別されるようにする。
【００２４】
検出部１１は、具体的にはグランド端子２３に対するオーディオＬチャンネル端子２１とオーディオＲチャンネル端子２２及びアンテナ端子２４との接続状態を検出する。検出部１１は、後述するように各ケーブルがそれぞれ異なる端子構造のピンジャックを有しており、このピンジャックがコネクタ部１０に嵌合されることによってグランド端子２３に対する他の端子のオープン・ショート状態が変わることでケーブル検出が行われるようになる。検出部１１は、各端子２１〜２４のオープン状態を検出することによって、コネクタ部１０にケーブルが接続されていない状態も検出する。なお、検出部１１は、グランド端子２３に対する他の端子の接続状態を検出してケーブル検出を行うようにしたが、各端子の接続状態によってケーブル検出を行うようにしてもよい。
【００２５】
ヘッドホンアンテナケーブル１５は、詳細を省略するが、図３に示すようにそれぞれヘッドホンスピーカ１４Ｌ、１４Ｒを有する一対のイヤホンコード２５Ｌ、２５Ｒと、ピンジャック１５ａが設けられた同軸ケーブル２６とを中継ユニット２７によって接続してなる。ヘッドホンアンテナケーブル１５は、所定の長さを有するイヤホンコード２５が音響信号と高周波信号（受信放送電波）とを重畳させて伝送する機能を有しており、デジタル放送を受信するアンテナとして作用する。ヘッドホンアンテナケーブル１５は、同軸ケーブル２６が、詳細を省略するが高周波信号を伝送する中心導体と、この中心導体を被覆する第１絶縁材及びこの第１絶縁体を被覆するシールド網線と、このシールド網線を被覆する第２絶縁材を介して導かれる一対のオーディオ信号線とから構成される。
【００２６】
ヘッドホンアンテナケーブル１５は、中継ユニット２７が図示しない回路基板を備えており、イヤホンコード２５側から供給される高周波信号と音響信号とを分離して同軸ケーブルの各線によって伝送する。ヘッドホンアンテナケーブル１５は、中継ユニット２７によって分離した音響信号をイヤホンコード２５によってそれぞれヘッドホンスピーカ１４に伝送する。
【００２７】
中継ユニット２７は、図４に回路図を示すが、回路基板の中央部にグランドパターン２８が形成され、このグランドパターン２８の両側に位置してステレオ音声信号の伝送ライン２９Ｌ、２９Ｒが形成される。また、回路基板には、グランドパターン２８の先端部に位置して３個の接続ランド３０Ｌ、３０Ｒ、３０Ｃが形成され、さらにグランドパターン２８の片側に位置して接続ランド３０Ｄが形成されている。
【００２８】
中継ユニット２７は、ステレオ音声信号の伝送ライン２９Ｌ、２９Ｒが、高周波チョーク３１Ｌ、３１Ｒを介して第１接続ランド３０Ｌと第２接続ランド３０Ｒとそれぞれ接続される。中継ユニット２７は、グランドパターン２８に対して第３接続ランド３０Ｃが高周波チョーク３１Ｃを介して接続される。中継ユニット２７は、第１接続ランド３０Ｌと第２接続ランド３０Ｒとがチップコンデンサ３２Ｌを介して接続され、第２接続ランド３０Ｒと第３接続ランド３０Ｃとがチップコンデンサ３２Ｒを介して接続され、第３接続ランド３０Ｃと第４接続ランド３０Ｄとがチップコンデンサ３２Ｃを介して接続される。中継ユニット２７は、伝送ライン２９Ｌ、２９Ｒがグランドパターン２８に対してチップコンデンサ３３Ｌ、３３Ｒを介して接続されることによって高周波的に一体化される。
【００２９】
中継ユニット２７は、各高周波チョーク３１にフェライトビーズが用いられ、これら高周波チョーク３１が２０ｋＨｚ以下の周波数帯域の音声信号に対してはローインピーダンスとなってこの音声信号を通過させるとともに、高周波信号に対してはハイインピーダンスとなってこの高周波信号の通過を阻止するように作用する。また、中継ユニット２７は、各チップコンデンサ３２、３３に１０００ｐＨの容量を有するものが用いられ、２０ｋＨｚ以下の周波数帯域の音声信号に対してはハイインピーダンスとなってこの音声信号の通過を阻止するとともに、高周波信号に対してはローインピーダンスとなってこの高周波信号を通過させるように作用する。中継ユニット２７は、これらの素子を備えることによって、音声信号と高周波信号とを分離する。
【００３０】
中継ユニット２７は、伝送ライン２９Ｌとグランドパターン２８とがイヤホンコード２５Ｌと接続されるとともに、伝送ライン２９Ｒとグランドパターン２８とがイヤホンコード２５Ｒと接続される。中継ユニット２７は、ヘッドホンスピーカ１４Ｌ、１４Ｒのグランドとなる第３接続ランド３０Ｃが高周波的にアンテナを構成する。
【００３１】
ヘッドホンアンテナケーブル１５は、中継ユニット２７の伝送ライン２９Ｌ、２９Ｒが同軸ケーブル２６の一対のオーディオ信号線とそれぞれ接続され、グランドパターン２８にシールド網線が接続され、さらに第４接続ランド３０Ｄに中心導体が接続される。ヘッドホンアンテナケーブル１５は、同軸ケーブル２６の先端に上述したようにピンジャック１５ａが設けられている。
【００３２】
ピンジャック１５ａには、軸方向の先端側から互いに絶縁状態を保持して所定の間隔を以って配列された周回りのオーディオＬチャンネル端子３４と、オーディオＲチャンネル端子３５と、グランド端子３６と、アンテナ端子３７とが設けられている。ヘッドホンアンテナケーブル１５は、オーディオＬチャンネル端子３４とオーディオＲチャンネル端子３５とがそれぞれ同軸ケーブル２６の一対のオーディオ信号線と接続され、グランド端子３６がシールド網線と接続され、アンテナ端子３７が中心導体と接続される。ヘッドホンアンテナケーブル１５は、これら各端子３４〜３７が上述した携帯端末機１側のコネクタ部１０に設けた各端子２１〜２４にそれぞれ対応して設けられている。
【００３３】
ヘッドホンアンテナケーブル１５は、ピンジャック１５ａを開口部１９に嵌合して携帯端末機１側のコネクタ部１０と接続することによって、オーディオＬチャンネル端子３４が相対するオーディオＬチャンネル端子２１と、オーディオＲチャンネル端子３５が相対するオーディオＲチャンネル端子２２と、グランド端子３６が相対するグランド端子２３と、アンテナ端子３７が相対するアンテナ端子２４とそれぞれ接続される。
【００３４】
ヘッドホンアンテナケーブル１５は、上述したようにオーディオＬチャンネル端子３４とオーディオＲチャンネル端子３５とがグランド端子３６と電気的に一体化されている。したがって、携帯端末機１は、ヘッドホンアンテナケーブル１５をコネクタ部１０に接続した状態で、コネクタ部１０の端子構造２０が、図３に模式的に示すようにグランド端子２３に対してオーディオＬチャンネル端子２１及びオーディオＲチャンネル端子２２がショート状態、アンテナ端子２４がオープン状態となる。携帯端末機１は、検出部１１が、この端子構造２０の、グランド端子２３に対するオーディオＬチャンネル端子２１とオーディオＲチャンネル端子２２とアンテナ端子２４との接続状態によってコネクタ部１０に接続されたケーブルがヘッドホンアンテナケーブル１５であることを検出して切替部１２に対して検出信号を出力する。
【００３５】
携帯端末機１においては、検出部１１からのヘッドホンアンテナケーブル１５の検出信号に基づいて、切替部１２によって情報源としてチューナ部６が選択されるとともに音響情報の出力源としてヘッドホンアンテナケーブル１５のヘッドホンスピーカ１４が選択される。携帯端末機１は、ヘッドホンアンテナケーブル１５で受信した放送電波がチューナ部６に供給され、中間波信号処理回路部７及び画像信号処理部８を介して画像信号が液晶表示器３に供給されて放送番組の映像が表示されるようにする。また、携帯端末機１は、中間波信号処理回路部７から音響信号処理部９に供給されて所定の処理を施された音響信号が、コネクタ部１０を介してヘッドホンアンテナケーブル１５に供給され、ヘッドホンスピーカ１４から出力されるようにする。
【００３６】
アンテナ機能を有していない一般的なヘッドホン用ケーブル１６は、図５に示すようにそれぞれヘッドホンスピーカ１４Ｌ、１４Ｒを有する一対のイヤホンコード３８Ｌ、３８Ｒと、ピンジャック１６ａが設けられた同軸ケーブル３９とを中継ユニット４０によって接続してなる。ヘッドホン用ケーブル１６は、ピンジャック１６ａに、軸方向の先端側から互いに絶縁状態を保持して所定の間隔を以って配列された周回りのオーディオＬチャンネル端子４１と、オーディオＲチャンネル端子４２と、グランド端子４３とが設けられている。ヘッドホン用ケーブル１６は、アンテナ機能を有していないためにピンジャック１６ａにアンテナ端子が設けられていないが、グランド端子４３がコネクタ部１０側のグランド端子２３とアンテナ端子２４との形成領域に対応する長さを以って形成されている。
【００３７】
ヘッドホン用ケーブル１６は、ピンジャック１６ａを開口部１９に嵌合して携帯端末機１側のコネクタ部１０と接続することによって、オーディオＬチャンネル端子４１が相対するオーディオＬチャンネル端子２１と、オーディオＲチャンネル端子４２が相対するオーディオＲチャンネル端子２２と、グランド端子４３が相対するグランド端子２３とそれぞれ接続される。ヘッドホン用ケーブル１６は、グランド端子４３に対してコネクタ部１０側のアンテナ端子２４も接続される。
【００３８】
携帯端末機１は、ヘッドホン用ケーブル１６をコネクタ部１０に接続した状態で、コネクタ部１０の端子構造２０が、図５に模式的に示すようにグランド端子２３に対してオーディオＬチャンネル端子２１及びオーディオＲチャンネル端子２２がショート状態となるとともに、アンテナ端子２４もショート状態となる。携帯端末機１は、検出部１１が、この端子構造２０における、グランド端子２３に対するオーディオＬチャンネル端子２１とオーディオＲチャンネル端子２２とアンテナ端子２４との接続状態によってコネクタ部１０に接続されたケーブルがヘッドホン用ケーブル１６であることを検出して切替部１２に対して検出信号を出力する。
【００３９】
携帯端末機１においては、検出部１１からのヘッドホン用ケーブル１６の検出信号に基づいて、切替部１２によって情報源として内部音源部５が選択されるとともに音響情報の出力源としてヘッドホン用ケーブル１６のヘッドホンスピーカ１４が選択される。携帯端末機１は、内部音源部５によって再生された画像情報が液晶表示器３に供給されて表示されるとともに、音響情報がコネクタ部１０を介してヘッドホン用ケーブル１６に供給されてヘッドホンスピーカ１４から出力されるようにする。
【００４０】
変換ケーブル１８は、図６に示すように外部機器１７と接続されるＦ型コネクタ４４を設けた同軸ケーブル４５の先端部にピンジャック１７ａが設けられており、このピンジャック１８ａに軸方向の先端側から互いに絶縁状態を保持して所定の間隔を以って配列された周回りのオーディオＬチャンネル端子４６と、オーディオＲチャンネル端子４７と、グランド端子４８と、画像供給端子４９とが設けられている。ピンジャック１８ａは、例えばオーディオＲチャンネル端子４７とグランド端子４８とが接続されるようにする。
【００４１】
変換ケーブル１８は、Ｆ型コネクタ４４が音響機器等の外部機器１７と接続される。変換ケーブル１８は、ピンジャック１８ａを開口部１９に嵌合して携帯端末機１側のコネクタ部１０と接続することによって、オーディオＬチャンネル端子４６が相対するオーディオＬチャンネル端子２１と、オーディオＲチャンネル端子４７が相対するオーディオＲチャンネル端子２２と、グランド端子４８が相対するグランド端子２３と、画像供給端子４９が相対するアンテナ端子２４とそれぞれ接続される。
【００４２】
携帯端末機１は、変換ケーブル１８をコネクタ部１０に接続した状態で、コネクタ部１０の端子構造２０が、図６に模式的に示すようにグランド端子２３に対してオーディオＬチャンネル端子２１がオープン状態、オーディオＲチャンネル端子２２がショート状態、アンテナ端子２４がオープン状態となる。携帯端末機１は、検出部１１が、この端子構造２０におけるグランド端子２３に対するオーディオＬチャンネル端子２１とオーディオＲチャンネル端子２２とアンテナ端子２４との接続状態によってコネクタ部１０に接続されたケーブルが変換ケーブル１８であることを検出して切替部１２に対して検出信号を出力する。
【００４３】
携帯端末機１においては、検出部１１からの変換ケーブル１８の検出信号に基づいて、切替部１２によって情報源として外部機器１７が選択されるとともに音響情報の出力源として内部スピーカ４が選択される。携帯端末機１は、外部機器１７から供給された画像情報が液晶表示器３に供給されて表示されるとともに、音響情報が内部スピーカ４から出力されるようにする。
【００４４】
なお、変換ケーブル１８については、外部機器１７との接続用のケーブルに限定されず、例えば携帯端末機１に接続する外付けアンテナ５０であってもよい。携帯端末機１は、外付けアンテナ５０で受信した放送番組等を外部情報として液晶表示器３と内部スピーカ４とによって出力する。なお、外付けアンテナ５０は、コネクタ部１０に接続されるピンジャックが、上述した変換ケーブル１８のピンジャック１８ａに設けた端子構造を備えており、画像供給端子４９がアンテナ端子として構成される。
【００４５】
携帯端末機１においては、図７に示すようにコネクタ部１０に各種のケーブルが接続されていない状態も検出部１１によって検出する。コネクタ部１０は、上述したようにオーディオＬチャンネル端子２１と、オーディオＲチャンネル端子２２と、グランド端子２３と、アンテナ端子２４とが互いに絶縁を保持されて形成されている。したがって、コネクタ部１０は、各種のケーブルが接続されていない状態で、端子構造２０が、図７に模式的に示すようにグランド端子２３に対してオーディオＬチャンネル端子２１と、オーディオＲチャンネル端子２２と、アンテナ端子２４とがいずれもオープン状態となっている。
【００４６】
携帯端末機１は、検出部１１が、この端子構造２０におけるグランド端子２３に対するオーディオＬチャンネル端子２１とオーディオＲチャンネル端子２２とアンテナ端子２４との接続状態によってコネクタ部１０にケーブルが接続されていないことを検出して切替部１２に対して検出信号を出力する。携帯端末機１においては、検出部１１からのケーブル接続無しの検出信号に基づいて、切替部１２によって情報源として内部情報源５が選択されるとともに音響情報の出力源として内部スピーカ４が選択される。携帯端末機１は、内部情報源５から出力されるの再生情報に基づいて画像情報が液晶表示器３に供給されて表示されるとともに、音響情報が内部スピーカ４から出力されるようにする。
【００４７】
なお、上述した携帯端末機１においては、説明の便宜上、検出部１１が音響信号の入出力部を構成するように図示したが、実際にはコネクタ部１０の各端子２１〜２４が画像信号や音響信号の入出力部と接続される。携帯端末機１においては、切替部１２から内部情報源５とチューナ部６とに対して制御信号を出力するようにしたが、この切替部１２が全体の制御動作を行う制御処理部等によって構成することは勿論である。携帯端末機１は、液晶表示器３を有して音響情報とともに映像情報を視聴するようにしたが、例えば音響情報のみを処理するようにしてもよい。
【００４８】
携帯端末機１においては、４端子構造のコネクタ部１０を備え、接続されるケーブル側のピンジャックに設けた各端子との組み合わせによってグランド端子とその他の端子との接続状態を検出部が検出するように構成したが、かかる構成に限定されるものでは無い。携帯端末機１は、例えばグランド端子を独立端子として構成しなければならない場合に、５端子構造としてコモン端子を設け、このコモン端子と各端子との組み合わせによってケーブルの検出を行うようにしてもよいことは勿論である。
【図面の簡単な説明】
【００４９】
【図１】実施の形態として示す携帯端末機の使用状態の説明図である。
【図２】同携帯端末機の主たる構成を示すブロック図である。
【図３】ヘッドホンアンテナケーブルとその接続の検出動作の説明図である。
【図４】ヘッドホンアンテナケーブルに備えられる中継ユニットの回路図である。
【図５】ヘッドホン用ケーブルとその接続の検出動作の説明図である。
【図６】変換ケーブルとその接続の検出動作の説明図である。
【図７】ケーブル非接続状態の検出動作の説明図である。
【符号の説明】
【００５０】
１  携帯端末機（携帯型無線情報再生装置）、２  筐体、３  液晶表示器、４  内部スピーカ、５  内部情報源、６  チューナ部、１０  コネクタ部、１１  検出部、１２  切替部、１３  ヘッドホンケーブル、１４  ヘッドホンスピーカ、１５  ヘッドホンアンテナケーブル、１５ａ  ピンジャック、１６  ヘッドホン用ケーブル、１６ａ  ピンジャック、１７  外部機器、１８変換ケーブル、１８ａ  ピンジャック、１９  開口部、２０  端子構造、２１  オーディオＬチャンネル端子、２２  オーディオＲチャンネル端子、２３  グランド端子、２４  アンテナ端子、２５  イヤホンコード、２６  同軸ケーブル、２７  中継ユニット、３４  オーディオＬチャンネル端子、３５  オーディオＲチャンネル端子、３６  グランド端子、３７  アンテナ端子、３８  イヤホンコード、３９  同軸ケーブル、４１  オーディオＬチャンネル端子、４２  オーディオＲチャンネル端子、４３  グランド端子、４４  Ｆ型コネクタ、４５  同軸ケーブル、４６  オーディオＬチャンネル端子、４７  オーディオＲチャンネル端子、４８  グランド端子、４９  画像供給端子、５０  外付けアンテナ
【図１】
2006135784.tif 000003
【図２】
2006135784.tif 000004
【図３】
2006135784.tif 000005
【図４】
2006135784.tif 000006
【図５】
2006135784.tif 000007
【図６】
2006135784.tif 000008
【図７】
2006135784.tif 000009